(57)【要約】【課題】使用者が着座している便座部の荷重を均一に受けるのに有利で、荷重受け部材の耐久性の向上に有利であり、且つ、排泄物容器に汚水が貯留されているときであっても、汚水の飛散を抑制するのに有利なポータブルトイレを提供する。【解決手段】ポータブルトイレは、使用者が着座する便座部１の荷重を受ける荷重受け部材７を備える。荷重受け部材７は、便座部１の前端部１ｆから後端部１ｒに向けて延設されていると共に排泄物容器５の鍔部５２を載置する載置面７３を有する。排泄物容器５の鍔部５２を載置した荷重受け部材７を基体４の前方にスライドさせることにより、荷重受け部材７の前後方向における長さ寸法の１／３以上を基体４内に納めつつ、局部洗浄部２０，２１と排泄物容器３，５との干渉を回避させる第１操作と、排泄物容器３を荷重受け部材７から持ち上げる第２操作とを実施する。【選択図】  図６
2006094901.tif 000002
【特許請求の範囲】
【請求項１】
使用者が着座する便座部と、鍔部を有する排泄物容器と、使用者の局部を洗浄する局部洗浄部と、前記排泄物容器を収容すると共に前記便座部及び局部洗浄ノズルを搭載する基体と、使用者が着座する前記便座部からの荷重を受ける荷重受け部材とを具備するポータブルトイレにおいて、
前記荷重受け部材は、
前記便座部の前端部から後端部に向けて延設されていると共に前記排泄物容器の前記鍔部を上方に持ち上げ可能に載置する載置面を有しており、前記基体の前方に向けて前記基体にスライド可能に設けられており、且つ、
前記荷重受け部材は、
前記排泄物容器の前記鍔部を載置した前記荷重受け部材を前記基体の前方にスライドさせることにより、前記荷重受け部材の前後方向における長さ寸法の１／３以上を前記基体内に納めつつ、前記局部洗浄部と前記排泄物容器との干渉を回避させる第１操作と、前記排泄物容器を前記荷重受け部材から持ち上げる第２操作とを実施可能に設定されていることを特徴とするポータブルトイレ。
【請求項２】
請求項１において、前記排泄物容器は、使用者の排泄物を受ける内バケツと、前記内バケツを収容すると共に鍔部を有する外バケツとで形成されていることを特徴とするポータブルトイレ。
【請求項３】
請求項１または請求項２において、前記外バケツの前記鍔部が前記荷重受け部材の前記載置面に着脱可能に載置されており、前記内バケツの全体は前記外バケツ内に収容されていることを特徴とするポータブルトイレ。
【請求項４】
請求項２または請求項３において、前記外バケツの前記鍔部は前記便座部の外縁よりも外方に延設されていることを特徴とするポータブルトイレ。
【請求項５】
請求項１〜請求項４のうちのいずれか一項において、排泄物容器を洗浄する排泄物容器洗浄部と、前記排泄物容器洗浄部及び前記局部洗浄部に給水可能な水タンクと、前記水タンクの水を前記排泄物容器洗浄部に給水する給水手段とが、前記基体に設けられていることを特徴とするポータブルトイレ。
【発明の詳細な説明】
【技術分野】
【０００１】
本発明はポータブルトイレに関する。
【背景技術】
【０００２】
特許文献１には、使用者が着座する便座部と、鍔部を有する排泄物容器と、排泄物容器を収容する容器収容空間を有すると共に便座部を搭載する基体と、使用者が着座する便座部の荷重を受ける荷重受け部材とを備えるポータブルトイレが開示されている。排泄物容器は、使用者から排出された排泄物を受けるものである。このものによれば、基体に対してスライド可能な荷重受け部材が設けられている。そして排泄物容器の鍔部の全体を荷重受け部材を載置している。排泄物容器を基体から取り出すにあたっては、排泄物容器の鍔部を載置した荷重受け部材を基体の前側にスライドさせることにより、排泄物容器の全部を基体から引き出して露出させる操作と、基体から露出させた荷重受け部材から排泄物容器を持ち上げて取り出す操作とを実施することにしている。この場合、排泄物容器の全部を基体から露出させるため、排泄物容器の鍔部を載置した荷重受け部材の引き出し距離が大きくなる。この結果、排泄物容器に排泄物と共に汚れた汚水が貯留されている場合、排泄物容器を載せた荷重受け部材をスライドさせるとき、汚水の水面の揺動量が増加し、汚水が基体の周囲に飛散するおそれがあった。
【０００３】
また、特許文献２にも、排泄物容器の鍔部を保持するポータブルトイレが開示されている。このポータブルトイレによれば、図１２及び図１３に示すように、荷重受け部材５００は、便座部６００の荷重を受けるものである。荷重受け部材５００は、使用者が着座している便座部６００の前半分６１０を受ける第１荷重受け部材５０１と、使用者が着座している便座部６００の後半分６２０を受ける第２荷重受け部材５０２とで形成されている。第１荷重受け部材５０１は基体７００の前方側つまり矢印Ｆ方向にスライド可能とされている。第２荷重受け部材５０２は基体７００に固定されている。
【特許文献１】特開２００２−８５２９０号公報
【特許文献２】特開２００２−７８６４０号公報
【発明の開示】
【発明が解決しようとする課題】
【０００４】
上記した図１２及び図１３に示すポータブルトイレによれば、荷重受け部材５００は基体７００に装備されている。この荷重受け部材５００は、前述したように、使用者が着座している便座部６００の前半分６１０を受ける第１荷重受け部材５０１と、使用者が着座している便座部６００の後半分６２０を受ける第２荷重受け部材５０２とで形成されている。このため可動側の第１荷重受け部材５０１と固定側の第２荷重受け部材５０２とは別体であり、第１荷重受け部材５０１は後端部５０５を有しており、第２荷重受け部材５０２は前端部５０６を有する。このものによれば、排泄物容器８００の全部を基体７００から引き出して露出させずとも良い。
【０００５】
しかしながら荷重受け部材５００が可動側の第１荷重受け部材５０１と固定側の第２荷重受け部材５０２とに分割されていると、第１荷重受け部材５０１による高さ支持位置と第２荷重受け部材５０２による支持高さとを高精度に合致させるには限界がある。このため、第１荷重受け部材５０１と第２荷重受け部材５０２とで荷重を均一に受けるには限界がある。荷重を均一に受けるために、構造が複雑化するおそれがある。
【０００６】
本発明は上記した実情に鑑みてなされたものであり、使用者が着座している便座部の荷重を均一に受けるのに有利で、荷重受け部材の耐久性の向上に有利であり、且つ、排泄物容器に汚水が貯留されているときであっても、汚水の飛散を抑制するのに有利なポータブルトイレを提供することを課題とする。
【課題を解決するための手段】
【０００７】
本発明に係るポータブルトイレは、使用者が着座する便座部と、鍔部を有する排泄物容器と、使用者の局部を洗浄する局部洗浄部と、排泄物容器を収容すると共に前記便座部及び局部洗浄ノズルを搭載する基体と、使用者が着座する便座部からの荷重を受ける荷重受け部材とを具備するポータブルトイレにおいて、
荷重受け部材は、
便座部の前端部から後端部に向けて延設されていると共に排泄物容器の鍔部を上方に持ち上げ可能に載置する載置面を有しており、基体の前方に向けて基体にスライド可能に設けられており、且つ、
荷重受け部材は、
排泄物容器の前記鍔部を載置した荷重受け部材を基体の前方にスライドさせることにより、荷重受け部材の前後方向における長さ寸法の１／３以上を基体内に納めつつ、局部洗浄部と排泄物容器との干渉を回避させる第１操作と、排泄物容器を荷重受け部材から持ち上げる第２操作とを実施可能に設定されていることを特徴とするものである。
【０００８】
本発明に係るポータブルトイレによれば、荷重受け部材の載置面は、便座部の前端部から後端部に向けて延設されており、排泄物容器の鍔部を載置する。このため、使用者が便座部に着座しているとき、便座部からの荷重全体を荷重受け部材で受けることができる。このため便座部からの荷重全体を荷重受け部材で効果的に受けることができる。
【０００９】
本発明に係るポータブルトイレによれば、荷重受け部材は、荷重受け部材の載置面に排泄物容器の鍔部を着脱可能に載置した状態で、基体の前方側に向けて基体にスライド可能に設定されている。そして、荷重受け部材は、荷重受け部材の前後方向における長さ寸法の１／３以上を基体内に納めつつ、局部洗浄部と排泄物容器との干渉を回避させる第１操作と、排泄物容器を荷重受け部材から持ち上げる第２操作とにより、排泄物容器を荷重受け部材から離脱させる。このように排泄物容器を荷重受け部材から離脱させるときには、荷重受け部材の前後方向における長さ寸法の１／３以上が基体内に納められている。このため、特許文献１に係る技術とは異なり、排泄物容器の全体を基体から露出させずとも良い。故に、排泄物容器のスライド距離が短くなる。この結果、排泄物容器に汚水が貯留されているときであっても、汚水が泄物容器外に飛散することが抑制される。
【発明の効果】
【００１０】
本発明に係るポータブルトイレによれば、荷重受け部材は便座部の前端部から後端部に向けて延設されているため、使用者が着座している便座部からの荷重全体を荷重受け部材で受けることができる。このため特許文献２に係る技術とは異なり、便座部からの荷重を荷重受け部材の全体で効果的に受けることができ、荷重受け部材の耐久性の向上に有利である。
【００１１】
本発明に係るポータブルトイレによれば、荷重受け部材は、排泄物容器を載置した荷重受け部材を基体の前方にスライドさせる第１操作と、排泄物容器を荷重受け部材から持ち上げる第２操作とにより、排泄物容器を荷重受け部材から離脱させる。このため排泄物容器を荷重受け部材から離脱させるとき、スライド量を低減させることができる。この結果、排泄物を含む汚水を貯留している排泄物容器をスライドさせるときであっても、排泄物容器内の汚水の水面が過剰に揺動することが抑制される。ひいては、排泄物容器内の汚の水面が過剰に揺動して排泄物容器外に飛散することが抑制される。
【発明を実施するための最良の形態】
【００１２】
本発明に係るポータブルトイレは、使用者が着座する便座部と、鍔部を有する排泄物容器と、排泄物容器を収容する容器収容空間を有すると共に便座部を搭載する基体と、使用者が着座する便座部の荷重を受ける荷重受け部材とを備える。荷重受け部材で受けられた便座部からの荷重は、基体に受けられる。好ましくは、排泄物容器は、使用者の排泄物を受ける内バケツと、内バケツの全体を収容する外バケツとで形成されている。内バケツ及び外バケツは樹脂を基材とすることが好ましい。外バケツは鍔部を有する形態を例示できる。そして、外バケツの鍔部が荷重受け部材の載置面に着脱可能に載置される形態を採用できる。また、好ましくは、外バケツの鍔部は使用位置の便座部の外縁よりも外方に延設されている。このように外バケツの鍔部は便座部の外縁よりも外方に延設されていれば、汚れやすい便座部付近の汚れを外バケツの鍔部が受けることができ、便座の汚れが基体に移行することが抑制される。
【００１３】
本発明に係るポータブルトイレによれば、荷重受け部材は、排泄物容器の前記鍔部を載置した荷重受け部材を基体の前方にスライドさせることにより、荷重受け部材の前後方向における長さ寸法の１／３以上（例えば１／２以上，２／３以上）を基体内に納めつつ、局部洗浄部と排泄物容器との干渉を回避させる第１操作と、排泄物容器を荷重受け部材から持ち上げる第２操作とを実施可能に設定されている。排泄物容器を洗浄する排泄物容器洗浄部と、排泄物容器洗浄部及び局部洗浄部に給水可能な水タンクと、水タンクの水を排泄物容器洗浄部に給水する給水手段とが、基体に設けられている形態を例示できる。排泄物容器洗浄部は、水を吐出させて排泄物容器の壁面に付着している汚れを清掃するためのものである。排泄物容器洗浄部については、ポータブルトイレに搭載されている水タンク等の給水源から給水しても良いし、あるいは、ポータブルトイレとは別体の給水源から給水しても良い。水タンクは基体に対して着脱式でも良いし、基体に固定されている固定式でも良い。水タンクは、基体の後部側に設けられていても良いし、基体の底部側または側面側に設けられていても良い。給水手段は水タンクの水を排泄物容器洗浄部に給水するものであり、モータを有する電動ポンプ、あるいは、手動ポンプを例示できる。
【００１４】
排泄物容器洗浄部に繋がる給水経路と、局部洗浄部に繋がる給水経路とは互いに独立している形態を例示できる。この場合、排泄物容器洗浄部に繋がる給水経路に第１給水手段が設けられている形態を採用できる。また、局部洗浄部に繋がる給水経路に第２給水手段が設けられている形態を採用できる。排泄物容器洗浄部に繋がる給水経路にはヒータが設けられておらず、局部洗浄部に繋がる給水経路にはヒータが設けられている形態を例示できる。この場合、使用者の局部を洗浄する水を加熱できるため、使用者の局部を洗浄する際における不快感を無くし得る。また排泄物容器を洗浄する水を加熱しないため、熱エネルギーを節約することができる。
【実施例１】
【００１５】
以下、本発明の実施例１について図１〜図１１を参照して具体的に説明する。本実施例に係るポータブルトイレは、図１に示すように、使用者の尻部が着座する便座部１を有する局部洗浄装置２と、排泄物を受ける排泄物容器３と、便座部１及び排泄物容器３を有する基体４とを備える。基体４は、木質の固定フレーム４０と、固定フレーム４０に前方（矢印Ｆ方向）に引き出し可能に設けられた木質の荷重受け部材７とを備える。ここで前方とは、便座部１に着座する使用者の顔が向く方向を意味する。後方とは、便座部１に着座する使用者の背中が向く方向を意味する。固定フレーム４０は、外バケツ５を収容可能な容器収容空間４２と、床面側に配置された底板部４３と、基体４の前部側に設けられた前板部４４と、底板部４３よりも上側に設けられた中板部４５と、使用者の肘掛けとして機能する肘掛け部４６と、基体４の後部４ｒ側において底板部４３から上方に向けて縦方向に延設された背板部４７と、背板部４７に架設され使用者の背中に対面する比較的厚肉のクッション性を有する背もたれ部４８と、便座部１の高さ位置を調整する高さ調整機構４９とを有する。なお、固定フレーム４０は後部側に、移動用のキャスター４０ｗを有する。固定フレーム４０の前側を持ち上げれば、キャスター４０ｗによりポータブルトイレを容易に移動させることができる。
【００１６】
局部洗浄装置２は、局部洗浄部２０を搭載する本体部２１と、本体部２１に上下方向に揺動可能に枢支された便座部１とを備える。局部洗浄部２０は、使用者の排便後の局部を洗浄する第１局部洗浄部２０ｆと、ビデ用の第２局部洗浄部２０ｓとで形成されている。局部洗浄部２０はノズル式とされており、基体４のうち便座部１の後部側に設けられており、便座部１に着座する使用者の局部に対面可能とされている。但し、第１局部洗浄部２０ｆ及びビデ用の第２局部洗浄部２０ｓとのうちのいずれか一方としても良い。図１に示すように、排泄物容器３Ａは、樹脂を基材とする内バケツ３と、内バケツ３を収容可能な樹脂を基材とする外バケツ５とで形成されている。内バケツ３は、上面に開口３０を有する排泄物収容室３１をもち、後部３ｒ側に凹部３５を有する。内バケツ３は回動可能な取っ手３２を有する。内バケツ３の開口３０を閉鎖する着脱可能な容器蓋３６が設けられている。容器蓋３６は、指先で摘む摘み部３７を有する。外バケツ５は、上面に形成された開口５０を有すると共に内バケツ３を収容可能な収容室５１と、上面の開口５０から横外方にフランジ状に延設された鍔部５２と、鍔部５２の後部に設けられた凹部５５と、係止部５７とを有する。凹部５５は内バケツ３の凹部３５と対面する。凹部３５，５５は、主として、局部洗浄部２０（２０ｆ，２０ｓ）との衝突を避けるためのものである。
【００１７】
鍔部５２の上面には、便座部１を載せて支持する載置面５３が形成されている。外バケツ５は基体４の固定フレーム４０の容器収容空間４２内に着脱可能に収容される。内バケツ３は外バケツ５の収容室５１内に着脱可能に収容される。図２に示すように、内バケツ３内に挿入されて内バケツ３内を洗浄する棒状をなす排泄物容器洗浄部８が設けられている。排泄物容器洗浄部８は基体４に対して別体をなしており、所定距離持ち運び可能とされており、先端部に水を噴出するノズル部８ｋと、指先で掴むことが可能な把手部８ｈとを有する。ノズル部８ｋは、棒状の排泄物容器洗浄部８の軸芯ＰＡ方向に沿って水を吐出する。この場合、ノズル部８ｋから吐出される水の水圧は、設計の単純化を図るため一段でも良いし、あるいは、複数段に切替可能であっても良い。ノズル部８ｋから吐出される水としては、水の噴出の拡開角度が大きいシャワー噴出の形態でも良いし、あるいは、シャワー噴出でない形態でも良い。周囲への水の飛散を抑えるためには、水の噴出の拡開角度はあまり大きくない方が良いといえる。
【００１８】
排泄物容器洗浄部８は、水の噴出停止、水の噴出を切り替えるスイッチ部８０を有する。排泄物容器洗浄部８に給水可能な水タンク８４が基体４に設けられている。水タンク８４は基体４の後部４ｒ、つまり、便座部１に着座する使用者の背中側においてタンクホルダ部４ｘを介して設けられている。水タンク８４は後方を向いている。水タンク８４は、縦長の偏平容器状をなす四角タンク形状をなしており、上面８４ｕ、側面８４ｓ、後面８４ｒ、前面８４ｆとをもつ。水タンク８４は、厚み寸法ｔ１は幅寸法、高さ寸法に比較して小さいので、水タンク８４がポータブルトイレに搭載されていても、ポータブルトイレの設置スペースの増大は防止されている。水タンク８４は、水タンク８４の上部に設けられ水道水等の水を補給する補給口８５と、補給口８５を開閉する着脱可能な蓋部材８６とを有する。補給口８５は水タンク８４の上部に設けられているため、給水作業に有利である。補給口８５の高さ位置は、背もたれ部４８の上面４８ｕ、背板部４７の上端４７ｕよりも低く設定されている。このため介助者が水タンク８４の補給口８５に給水しているとき、背もたれ部４８は、便座部１に着座している使用者と、介助者による給水作業との分離性を高めることができる。また、背もたれ部４８が便座部１と水タンク８４との間に設けられているため、使用者の背中が水タンク８４に直接的に接触することが抑制される。
【００１９】
図２に示すように、水タンク８４には水量を示すインジケータ８４ｗが設けられている。図２に示すように、ワイヤ等の線状体で形成された支持面８７が水タンク８４の後面８４ｒに掛けられて水タンク８４の支持性が高められている。水タンク８４の側面８４ｓの下部には給水具８８が設けられている。なお、水タンク８４の側面８４ｓには、排泄物容器洗浄部８を引っかけて仮保持するホルダー８４ｘが設けられている。図２に示すように、可撓性を有する給水管としての給水ホース８９の一端部８９ａは給水具８８に接続されており、給水ホース８９の他端部８９ｃは排泄物容器洗浄部８の基端部に接続されている。給水ホース８９は３次元的な可撓性を有すると共に、所定の長さを有する。従って、排泄物容器洗浄部８は給水ホース８９の長さに相当するぶん移動可能とされている。なお、内バケツ３を基体４から外したときであっても、内バケツ３が基体４の近傍に設置されていれば、給水ホース８９により排泄物容器洗浄部８は内バケツ３に届くようになっている。図３に示すように、水タンク８４は、上側に設けられ水を収容可能なタンク室８４ａと、タンク室８４ａの下側に設けられた制御室８４ｃとを有する。タンク室８４ａの水容量は、内バケツ３の洗浄処理と使用者の局部洗浄処理とをそれぞれ所定回数実行できるように設定されている。図３に示すように、制御室８４ｃは、タンク室８４ａに互いに独立して繋がる第１給水経路９１及び第２給水経路９２と、第１給水経路９１に設けられ排泄物容器洗浄部８に給水可能な第１給水手段９３と、第２給水経路９２に設けられ局部洗浄部２０（２０ｆ、２０ｓ）に給水可能な第２給水手段９６と、コントローラ９９とを有する。コントローラ９９は、第１信号線９３ｓを介して第１給水手段９３を制御すると共に、第２信号線９６ｓを介して第２給水手段９６を制御する。第１給水手段９３は、給水機能を有する第１電動ポンプ９４と、第１電動ポンプ９４を駆動させる第１モータ９５とを備えている。第２給水手段９６は、給水機能を有する第２電動ポンプ９７と、第２電動ポンプ９７を駆動させる第２モータ９８とを備えている。コントローラ９９にはアダプタ９０を介して商用電源（ＡＣ１００ボルト）が接続される。
【００２０】
上記した第１給水手段９３の第１電動ポンプ９４及び第２給水手段９６の第２電動ポンプ９７は、互いに独立して駆動する。故に、第１電動ポンプ９４が故障等により停止したとしても、第２電動ポンプ９７は駆動可能である。第２電動ポンプ９７が故障等により停止したとしても、第１電動ポンプ９４は駆動可能である。上記したように本実施例によれば、第１給水手段９３の第１電動ポンプ９４及び第２給水手段９６の第２電動ポンプ９７とは互いに独立して駆動するように設定されている。このため排泄物容器洗浄部８に給水する水圧と、局部洗浄部２０（２０ｆ、２０ｓ）に給水する水圧とを同じとしても良いし、異なる値にとすることもでき、水圧設定の自由度を高めることができる。また、排泄物容器洗浄部８に給水する単位時間あたりの水量と、局部洗浄部２０（２０ｆ、２０ｓ）に給水する単位時間当たりの水量とを同じとしても良いし、異なる値とすることもでき、水量設定の自由度を高めることができる。換言すると、排泄物容器洗浄部８に給水する水圧Ｐ１と、局部洗浄部２０（２０ｆ、２０ｓ）に給水する水圧Ｐ２とを、内バケツ３の洗浄に要請される洗浄力、局部洗浄に要請される洗浄力等に応じて個別に設定できる。なお、Ｐ１=Ｐ２またはＰ１≒Ｐ２でも良いし、Ｐ１＞Ｐ２でも良いし、Ｐ１＜Ｐ２でも良い。また排泄物容器洗浄部８に給水する単位時間当たりの水量Ｖ１と、局部洗浄部２０（２０ｆ、２０ｓ）に給水する単位時間当たりの水量Ｖ２とを、内バケツ３の洗浄に要請される洗浄力、局部洗浄に要請される洗浄力等に応じて個別に設定できる。なお、Ｖ１=Ｖ２またはＶ１≒Ｖ２でも良いし、Ｖ１＞Ｖ２でも良いし、Ｖ１＜Ｖ２でも良い。
【００２１】
なお、コストダウンを考慮すると、第１給水手段９３の第１電動ポンプ９４及び第２給水手段９６の第２電動ポンプ９７は、同種のものを採用できる。  タンク室８４ａには水位検知手段８４ｅが設けられている。水位検知手段８４ｅの水位信号は信号線８４ｆを介してコントローラ９９に入力される。水タンク８４内の水は局部洗浄部２０と排泄物容器洗浄部８の双方に共用される。なお、タンク室８４ａの水位が過剰に低減すると、コントローラ９９は第１給水手段９３及び第２給水手段９６を停止させ、表示ＬＥＤ等の報知手段によりその旨を報知する。
【００２２】
第２給水経路９２は、水タンク８４のタンク室８４ａと局部洗浄部２０（２０ｆ、２０ｓ）とを繋ぐ給水通路であり、局部洗浄装置２に内蔵されている。第２給水経路９２の水を加熱する電気式のヒータ２５が局部洗浄装置２内に設けられている。本実施例によれば、局部洗浄部２０（２０ｆ、２０ｓ）に供給させる水をヒータ２５により加熱できるため、使用者の局部を温水により洗浄することができる。このため局部洗浄時における不快感を発生させない。これに対して、第１給水経路９１は排泄物容器洗浄部８に繋がるものであるが、第１給水経路９１の水は一般的には使用者の局部に直接触れるものではないため、水を加熱する要請は少なく、ヒータは設けられていない。従って、排泄物容器洗浄部８に供給される水の温度は基本的にはタンク室８４ａの水温である。このため電気エネルギの低減に貢献できる。
【００２３】
本実施例によれば、図４は荷重受け部材７の平面視を示す。図４に示すように荷重受け部材７は木質の枠状をなしており、前側に形成され介助者等の指先が掛けられて操作される引き出し操作部７０と、外バケツ５を収容する開口７２ｍを有する枠部７２とを備えている。荷重受け部材７の前後方向における長さ寸法は、LAとして示される。荷重受け部材７の枠部７２の上面には、外バケツ５の鍔部５２が載置される載置面７３が形成されている。従って、荷重受け部材７の枠部７２の上面の載置面７３に外バケツ５の鍔部５２を載せ得るようにされている。図５は、荷重受け部材７の開口７２ｍに外バケツ５の容器部分を嵌め込みつつ、荷重受け部材７の枠部７２の上面の載置面７３に外バケツ５の鍔部５２を載せた状態を示す。
【００２４】
本実施例によれば、図５に示すように、荷重受け部材７は、便座部１の前端部１ｆから後端部１ｒに向けて延設されている。そして使用者が便座部１に着座するときには、便座部１に着座している荷重は、便座部１を介して外バケツ５の鍔部５２、ひいては荷重受け部材７に伝わる。ここで、前記した特許文献２に係る技術と異なり、荷重受け部材７は前後に分割した分割部品ではなく、一体部品である。このため外バケツ５の鍔部５２の全体が一体部品である荷重受け部材７の載置面５３に載せられる。このため、便座部１からの荷重を分散させる均一分散性を高めることができ、ひいては便座部１からの荷重を支持する支持性を高めることができ、荷重受け部材７の耐久性を向上させることができる。ここで、荷重受け部材７の枠部７２は、基体４の平坦状の支持面４ｋ（図９参照）に載置された状態で、基体４に対して前後方向にスライド可能とされている。従って、荷重受け部材７で受けられた荷重は、基体４の平坦状の支持面４ｋで受けられる。
【００２５】
本実施例によれば、荷重受け部材７の引き出し操作部７０は、基体４の固定フレーム４０に対して前方（矢印Ｆ方向）に引出し可能とされている。荷重受け部材７の引き出し操作部７０を前方（矢印Ｆ方向）に引き出せば、荷重受け部材７は基体４の固定フレーム４０から離脱可能とされているため、荷重受け部材７に保持されている外バケツ５も前方（矢印Ｆ方向）に引き出され、外バケツ５に収容されている内バケ  次に、本実施例に係るポータブルトイレの一般的な清掃方法について説明する。まず、内バケツ３の開口３０が露出している状態において、図７に示すように、棒状の排泄物容器洗浄部８を内バケツ３の排泄物収容室３１に挿入する。そして、排泄物容器洗浄部８のスイッチ８０を操作し、第１給水手段９３を駆動させる。これにより第１電動ポンプ９４により排泄物容器洗浄部８に給水し、排泄物容器洗浄部８のノズル部８ｋから水を吐出させる。このように排泄物容器洗浄部８のノズル部８ｋから吐出した水により、内バケツ３内を洗浄することができ、内バケツ３を衛生的にできる。また外バケツ５を清掃したいときには、外バケツ５を露出させる。この状態において、棒状の排泄物容器洗浄部８を外バケツ５の収容室５１に挿入し、排泄物容器洗浄部８から噴出した水により外バケツ５内を洗浄する。給水ホース８９は可撓性を有するため、排泄物容器洗浄部８の位置、向きを任意に変えることができるため、内バケツ３や外バケツ５の清掃に便利である。内バケツ３に水を貯めておきたいときには、排泄物容器洗浄部８のノズル部８ｋから水を内バケツ３内に吐出させれば良い。排泄物容器洗浄部８のノズル部８ｋから吐出される水は、局部洗浄の場合とは異なり、ヒータ２５で加熱されていないため、一般的には常温水である。ツ３も前方（矢印Ｆ方向）に引き出される。
【００２６】
局部洗浄機能を有しない従来のポータブルトイレによれば、局部洗浄装置２が基体４に設けられていない。このため従来のポータブルトイレによれば、内バケツ３の後部３ｒと局部洗浄部２０との干渉が発生しないため、便座部１を上方に回動させた状態で、内バケツ３を基体４の固定フレーム４０に対してそのまま上方に持ち上げれば、内バケツ３を固定フレーム４０から取り外すことができるものであった。しかしながら、局部洗浄機能を有するタイプのポータブルトイレによれば、局部洗浄装置２が基体４に設けられており、ノズル式の局部洗浄部２０が内バケツ３の排泄物収容室３１に臨むように配置されることが多い。更に、局部洗浄部２０から吐出される水を排泄物収容室３が受け止める必要があるため、排泄物収容室３の後部３ｒは局部洗浄部２０よりも後方に位置することになる（図５参照）。この場合、便座部１を上方に揺動させた状態で、内バケツ３をそのまま上方に持ち上げれば、内バケツ３の後部３ｒと局部洗浄装置２の局部洗浄部２０とが干渉する（図５参照）。
【００２７】
そこで本実施例によれば、前方（矢印Ｆ方向）にスライド可能な荷重受け部材７の載置面７３に外バケツ５の鍔部５２を載せると共に、その外バケツ５の収容室５１内に内バケツ３を収容する方式が採用されている。そして内バケツ３内に溜まった排泄物を廃棄するときには、図６に示すように、内バケツ３を収容する状態の外バケツ５の鍔部５２を載せた荷重受け部材７の引き出し操作部７０を、介助者等が前方（矢印Ｆ方向）に向けて少しスライド（ΔＳ）させる第１操作を実施する。ΔＳとしては４０〜５０ミリメートルに設定できる。荷重受け部材７がΔＳのストロークぶんスライドしたとき、荷重受け部材７は、これの前後方向における長さ寸法LAの１／３以上、特に、２／３以上が基体４内にまだ納められている。
【００２８】
上記した第１操作によるスライドに伴い、図６に示すように、外バケツ５の後部５ｒ、内バケツ３の後部３ｒが前方（矢印Ｆ方向）に移動し、内バケツ３の後部３ｒと局部洗浄装置２の局部洗浄部２０との干渉が回避される。更に、外バケツ５の後部５ｒと局部洗浄装置２の局部洗浄部２０との干渉が回避される。
【００２９】
上記のように干渉を回避した状態で、介助者等が内バケツ３を上方（矢印Ｙ１方向）に持ち上げる第２操作を実施すれば、内バケツ３の後部３ｒと局部洗浄部２０とを干渉させることなく、内バケツ３を持ち上げて外バケツ５から離脱させることができる。そして、離脱させた内バケツ３内に溜まっている排泄物Ｗを廃棄することができ、内バケツ３の清掃処理に便利である。また、上記のように干渉を回避した状態で、外バケツ５を上方（矢印Ｙ１方向）に持ち上げれば、局部洗浄部２０と外バケツ５の後部５ｒとを干渉させることなく、外バケツ５を持ち上げて基体４の容器収容空間４２から離脱させることができる。従って、外バケツ５の清掃処理も便利である。
【００３０】
ところで、荷重受け部材７を前方に引き出す際に、特許文献１に係る技術のように、荷重受け部材７に支持されている内バケツ３や外バケツ５の全部が基体４の固定フレーム４０から完全に引き出されるまで、荷重受け部材７を前方に移動させる方式も考えられる。しかしながらこの場合には、内バケツ３を前方にスライドさせる距離が長い関係上、内バケツ３の排泄物収容室３１内に貯留されている汚水の水面ＷＡがスライドに伴い過剰に揺動して、汚水が内バケツ３の周囲に飛散するおそれがあり、好ましくない。この点本実施例によれば、荷重受け部材７に支持されている内バケツ３や外バケツ５の全体が基体４の固定フレーム４０から引き出されるまで荷重受け部材７を前方に移動させずとも良い。即ち、前記したように第１操作による荷重受け部材７のスライド（スライド量ΔＳ）により、内バケツ３の後部３ｒと局部洗浄装置２の局部洗浄部２０との干渉を回避でき、また、外バケツ５の後部５ｒと局部洗浄装置２の局部洗浄部２０との干渉を回避できる。上記のように回避した状態で、内バケツ３を上方に持ち上げたり、外バケツ５を上方に持ち上げる第２操作を実施する方式が採用されている。このため本実施例によれば、内バケツ３を載せた荷重受け部材７を前方にスライドさせる距離 （ΔＳ）が少しで済み、荷重受け部材７に支持されている内バケツ３の排泄物収容室３１内の汚水の水面ＷＡの揺動を抑えることができ、汚水の周囲への飛散を抑えることができる。
【００３１】
更に説明を加える。図８に示すように、内バケツ３に容器蓋３６が被着されているときには、内バケツ３の容器蓋３６の後部３６ｒと局部洗浄装置２の局部洗浄部２０（２０ｆ，２０ｓ）とが干渉し、容器蓋３６を上方に持ち上げることができず、ひいては容器蓋３６を外すことができないおそれがある。そこで前述したように、図９示すように、便座部１を上方に揺動させて退避位置にさせた状態で、容器蓋３６を被着した内バケツ３をセットしている荷重受け部材７を前方（矢印Ｆ方向）に少しスライド（スライド量=ΔＳ）させる第１操作を実施すれば、内バケツ３の容器蓋３６の後部３６ｒと局部洗浄装置２の局部洗浄部２０との干渉が直ちに回避される（図９参照）。このため図１０に示すように容器蓋３６を上方に持ち上げる第２操作を実施し、内バケツ３から外すことができる。そして、容器蓋３６を外した状態で、排泄物容器洗浄部８を内バケツ３内に挿入し、排泄物容器洗浄部８から吐出した水により内バケツ３を洗浄することができる。必要に応じて、図１１に示すように内バケツ３を外バケツ５の収容室５１から取り外すこともできる。
【００３２】
ところで、基体１の固定フレーム４０は木質であり、風合い及び意匠性を高め易いという利点を有する。また、便座１は使用の際に汚れ易いものである。便座部１に付着した汚れが使用者の動作等により固定フレーム４０側に移動することも間々ある。木質の固定フレーム４０は、汚れが付着すると、樹脂に比較して汚れや臭いがしみ込むおそれがある。この点本実施例によれば、図７に示すように、外バケツ５の鍔部５２は便座部１の外縁１ｐよりも外方に延設されている。このため図７に示すように便座部１を下方に回動させて使用位置に設定しているときには、便座部１の外縁１ｐと木質の基体４の固定フレーム４０との間には、樹脂を基材とする外バケツ５の鍔部５２が存在している。故に、便座部１に付着した汚れが使用者の動作等により固定フレーム４側に移動するときであっても、その汚れを外バケツ５の鍔部５２で受けることができる。鍔部５２は樹脂を基材としており、鍔部５２への汚れの含浸は抑えられる。このように本実施例によれば、外バケツ５の鍔部５２が便座部１の外縁１ｐと木質の基体４の固定フレーム４０との間に介在しているため、木質の固定フレーム４０に汚れや臭いがしみ込むことを抑えるのに有利である。なお、排泄物容器洗浄部８のノズル部８ｋから吐出される水で外バケツ５の鍔部５２を清掃するときには、その清掃後の水を外バケツ５内または内バケツ３内に流すことができる。
【００３３】
本実施例によれば、図２に示すように、水タンク８４は基体４の後部４ｒの背もたれ部４８の後方に、つまり、便座部１に着座する使用者の背中側において設けられている。更に、背もたれ部４８の上面４８ｕの高さ位置は補給口８５の高さ位置よりも高く設定されている。このため、背もたれ部４８の後方においてやかん等の貯水容器または水道ホース等を用いて水タンク４の補給口８５へ介助者等が給水作業している作業中において、便座部１に着座している使用者が動いたとしても、使用者の身体がやかん等の貯水容器または水道ホース等に当たることが抑制され、水タンク８４の補給口８５への給水作業を損なうことが抑えられている。従って背もたれ部４８は、使用者に対する背もたれ機能と、仕切部材としての機能との双方を兼務する。
【００３４】
（その他）
本発明は上記し且つ図面に示した実施形態のみに限定されるものではなく、要旨を逸脱しない範囲内で適宜変更して実施できるものである。
【産業上の利用可能性】
【００３５】
本発明は高齢者、障害者、負傷者、健常者等が使用するポータブルトイレに利用することができる。
【図面の簡単な説明】
【００３６】
【図１】ポータブルトイレから内バケツ、容器蓋、外バケツを外した状態を示す斜視図である。
【図２】内バケツ、容器蓋、外バケツを取り付けたポータブルトイレを後方から視認した斜視図である。
【図３】水タンク付近を示す構成図である。
【図４】スライダ部材の平面図である。
【図５】内バケツを収容する外バケツのフランジ部をスライダ部材に載せている状態を模式的に示す断面図である。
【図６】内バケツを収容する外バケツのフランジ部をスライダ部材に載せつつ、スライダ部材を前方にスライドさせた状態を模式的に示す断面図である。
【図７】内バケツ、容器蓋、外バケツを取り付けたポータブルトイレを前方から視認した斜視図である。
【図８】便座部を上方に揺動させた状態のポータブルトイレを前方から視認した斜視図である。
【図９】便座部を上方に揺動させた状態で、荷重受け部材を前方にスライドさせた状態のポータブルトイレを前方から視認した斜視図である。
【図１０】便座部を上方に揺動させた状態で、荷重受け部材を前方にスライドさせ、更に容器蓋を内バケツから外す状態のポータブルトイレを前方から視認した斜視図である。
【図１１】便座部を上方に揺動させた状態で、荷重受け部材を前方にスライドさせ、更に内バケツを外バケツから外す状態のポータブルトイレを前方から視認した斜視図である。
【図１２】従来技術に係り、分割タイプの荷重受け部材で便座部を支持している形態を示す構成図である。
【図１３】従来技術に係り、分割タイプの荷重受け部材の第１荷重受け部材を前方に引き出した形態を示す構成図である。
【符号の説明】
【００３７】
図中、１は便座部、２は局部洗浄装置、２０は局部洗浄部、２１は本体部、３は内バケツ、３１は排泄物収容室、３６は容器蓋、４は基体、４０は固定フレーム、４８は背もたれ部（仕切部材）、５は外バケツ、５２は鍔部、７は荷重受け部材、７３は載置面、８は排泄物容器洗浄部、８０はスイッチ、８４は水タンク、８９は給水ホース、９３は第１給水手段、９６は第２給水手段を示す。
【図１】
2006094901.tif 000003
【図２】
2006094901.tif 000004
【図３】
2006094901.tif 000005
【図４】
2006094901.tif 000006
【図５】
2006094901.tif 000007
【図６】
2006094901.tif 000008
【図７】
2006094901.tif 000009
【図８】
2006094901.tif 000010
【図９】
2006094901.tif 000011
【図１０】
2006094901.tif 000012
【図１１】
2006094901.tif 000013
【図１２】
2006094901.tif 000014
【図１３】
2006094901.tif 000015